(57)【特許請求の範囲】
【請求項１】
ハカマ部材と、このハカマ部材内に嵌合固定された螺旋溝を有する螺旋部材と、この螺旋部材内に下端部が挿入され、上端部が前記ハカマ部材の上端部より上方に突出する回転可能な筒部材と、この筒部材の前記螺旋部材の螺旋溝と対応する部位に形成された軸心方向の切欠部と、前記筒部材内を上下移動可能に取付けられた口紅等を支持する下端部に該筒部材の切欠部および前記螺旋部材の螺旋溝と係合する係合ピンを有する皿部材と、前記螺旋部材の上端部より上方に突出するように一体成形され、内壁面に前記筒部材を常時所定の弾性力で押し圧するリブを有する複数個の舌片とを備えたことを特徴とする口紅等の収納容器。
【請求項２】
ハカマ部材と、このハカマ部材内に嵌合固定された上部内壁面に内側へ突出する複数個のリブが形成された螺旋溝を有する螺旋部材と、この螺旋部材内に下端部が挿入され、上端部が前記ハカマ部材の上端部より上方に突出する前記複数個のリブによって回転時の調子をとることができる回転可能な筒部材と、この筒部材の前記螺旋部材の螺旋溝と対応する部位に形成された軸心方向の切欠部と、前記筒部材内を上下移動可能に取付けられた口紅等を支持する下端部に該筒部材の切欠部および前記螺旋部材の螺旋溝と係合する係合ピンを有する皿部材とを備えることを特徴とする口紅等の収納容器。
【請求項３】
ハカマ部材本体と、このハカマ部材本体内に嵌合固定される上部内壁面に内側へ突出する複数個のリブが形成された螺旋溝を有する螺旋部材と、前記ハカマ部材本体の上端部に嵌合固定された前記複数個のリブの外周部と当接するキャップ嵌合部材と、この螺旋部材内に下端部が挿入され、上端部が前記ハカマ部材の上端部より上方に突出する前記複数個のリブによって回転時の調子をとることができる回転可能な筒部材と、この筒部材の前記螺旋部材の螺旋溝と対応し、かつ前記複数個のリブと接触しない部位に形成された軸心方向の切欠部と、前記筒部材内を上下移動可能に取付けられた口紅等を支持する下端部に該筒部材の切欠部および前記螺旋部材の螺旋溝と係合する係合ピンを有する皿部材とを備えることを特徴とする口紅等の収納容器。
【請求項４】
ハカマ部材本体と、このハカマ部材本体内に嵌合固定される上部内壁面に内側へ突出する複数個のリブが形成され、下部に複数個の切り割および内壁面にストッパー挿入溝が形成された螺旋溝を有する螺旋部材と、前記ハカマ部材本体の上端部に嵌合固定された前記複数個のリブの外周部と当接するキャップ嵌合部材と、この螺旋部材内に下端部が挿入され、上端部が前記ハカマ部材の上端部より上方に突出する前記複数個のリブによって回転時の調子をとることができる回転可能な筒部材と、この筒部材の下端部に一体成形された外方に突出する前記螺旋部材のストッパー挿入溝と係合するストッパー片と、前記筒部材の前記螺旋部材の螺旋溝と対応し、かつ前記複数個のリブと接触しない部位に形成された軸心方向の切欠部と、前記筒部材内を上下移動可能に取付けられた口紅等を支持する下端部に該筒部材の切欠部および前記螺旋部材の螺旋溝と係合する係合ピンを有する皿部材とを備えることを特徴とする口紅等の収納容器。
【発明の詳細な説明】
【０００１】
【産業上の利用分野】
本発明は口紅、リップクリーム、スチックアイシャドウ、スチックファンデーション等の棒状化粧品を収納することができるハカマ部材内に螺旋部材が嵌合固定された口紅等の収納容器に関する。
【０００２】
【従来の技術】
従来、この種の口紅収納容器は、筒部材の回転時の調子を一定に設定するために、筒部材と螺旋部材との間にＯリングを介装している。
【０００３】
【本発明が解決しようとする課題】
従来のＯリングを用いた口紅収納容器はＯリングを用いるため、部品点数が増加し、組付けに手数がかかるためコスト高になるという欠点があるとともに、Ｏリングのセット忘れや劣化によって不良品が発生しやすいという欠点があった。
【０００４】
本発明は以上のような従来の欠点に鑑み、部品点数を増加させることなく、確実に筒部材の回転時の調子を一定に設定することができ、組付けが容易で安価に製造することができる口紅等の収納容器を得ることを目的としている。
【０００５】
本発明の前記ならびにそのほかの目的と新規な特徴は次の説明を添付図面と照し合せて読むと、より完全に明らかになるであろう。
ただし、図面はもっぱら解説のためのものであって、本発明の範囲を限定するものではない。
【０００６】
【課題を解決するための手段】
上記目的を達成するために、本発明はハカマ部材と、このハカマ部材内に嵌合固定された螺旋溝を有する螺旋部材と、この螺旋部材内に下端部が挿入され、上端部が前記ハカマ部材の上端部より上方に突出する回転可能な筒部材と、この筒部材の前記螺旋部材の螺旋溝と対応する部位に形成された軸心方向の切欠部と、前記筒部材内を上下移動可能に取付けられた口紅等を支持する下端部に該筒部材の切欠部および前記螺旋部材の螺旋溝と係合する係合ピンを有する皿部材と、前記螺旋部材の上端部より上方に突出するように一体成形され、内壁面に前記筒部材を常時所定の弾性力で押し圧するリブを有する複数個の舌片とで口紅等の収納容器を構成している。
【０００７】
【作用】
上記のように構成された口紅等の収納容器は、螺旋部材の上端部に上方へ突出するように一体成形された複数個の舌片の内壁面に形成され、リブによって常時筒部材を所定の弾性力で押し圧される。
【０００８】
【本発明の実施例】
以下、図面に示す実施例により、本発明を詳細に説明する。
【０００９】
図１ないし図５の本発明の第１の実施例において、１はハカマ部材で、このハカマ部材１は下端部が閉塞された筒状のハカマ部材本体２と、このハカマ部材本体２の上部に嵌合固定された上部外周部にキャップ嵌合部３が形成されたキャップ嵌合部材４とで構成されている。
【００１０】
５は前記ハカマ部材１内に嵌合固定された合成樹脂材製の螺旋部材で、この螺旋部材５は図３に示すように筒状の螺旋部材本体６と、この螺旋部材本体６の上端部に一対の切欠部７、７を形成して形成した複数個、本実施例では２個の舌片８、８と、この舌片８、８の上部内壁面にそれぞれ内側に突出するように形成されたリブ９、９と、前記螺旋部材本体６の上部を除く内壁面に形成された螺旋溝１０、１０とで構成されている。
【００１１】
１１は前記螺旋部材５内に下端部が挿入され、上端部が前記ハカマ部材１の上端部より上方に突出する前記舌片８、８のリブ９、９によって、所定の弾性力によって押し圧される筒部材で、この筒部材１１の前記螺旋部材５の螺旋溝１０と対応する部位に軸心方向の切欠部１２、１２が形成され、下端部には巻き締めによって固定された前記螺旋部材５の下端部と当接して抜け脱を阻止するストッパー片１３が形成されている。
【００１２】
１４は前記筒部材１１内に上下移動可能に取付けられた口紅１５を支持する皿部材で、この皿部材１４には下方へ突出する一対の脚部材１６、１６が形成され、該一対の脚部材１６、１６の下端外周部に前記筒部材１１の切欠部１２、１２および前記螺旋部材５の螺旋溝１０、１０と係合する係合ピン１７、１７が形成されている。
【００１３】
１８は前記ハカマ部材１のキャップ嵌合部３と着脱可能に嵌合する前記筒部材１１の上部を覆うキャップである。
【００１４】
上記構成の口紅収納容器１９は、螺旋部材１５に形成された舌片８、８のリブ９、９によって、切欠部１２、１２が形成されていない部位の筒部材１１を押し圧するため、筒部材１１とハカマ部材１とを持って回動させる繰り出し時の調子を一定に設定することができるとともに、従来の容器と同様に筒部材１１の上端部より口紅１５を出没させて使用することができる。
【００１５】
【本発明の異なる実施例】
次に図６ないし図２５に示す本発明の異なる実施例につき説明する。なお、これらの本発明の異なる実施例の説明に当って、前記本発明の第１の実施例と同一構成部分には同一符号を付して重複する説明を省略する。
【００１６】
図６ないし図９の本発明の第２の実施例において、前記本発明の第１の実施例と主に異なる点は螺旋部材５Ａで、この螺旋部材５Ａは図８に示すように筒状の螺旋部材本体６と、この螺旋部材本体６の上端部に外周部にキャップ嵌合部材４が入り込む凹部２０を有するように上方に突出形成された複数個の舌片２１と、この舌片２１の上部内壁面に内側に突出するように形成されたリブ２２と、前記螺旋部材本体６の内壁面に形成された螺旋溝１０、１０とで構成されている。このように形成された螺旋部材５Ａを用いて口紅収納容器１９Ａを構成しても、前記本発明の第１の実施例と同様な作用効果が得られる。
【００１７】
図１０ないし図１２の本発明の第３の実施例において、前記本発明の第１の実施例と主に異なる点は螺旋部材５Ｂで、この螺旋部材５Ｂは図１２に示すように上部内壁面に複数個、本実施例では２個のリブ９、９を形成している。このように形成された螺旋部材５Ｂを用いて口紅収納容器１９Ｂを構成しても、前記本発明の第１の実施例と同様な作用効果が得られる。
【００１８】
図１３ないし図１５の本発明の第４の実施例において、前記本発明の第１の実施例と主に異なる点は螺旋部材５Ｃで、この螺旋部材５Ｃの舌片８、８の上端部は螺旋部材本体６の上端部より低く形成し、セット時にキャップ嵌合部材４の下端部が舌片８、８に接触しないようにして、舌片８、８の弾性力とリブ９、９とによって筒部材１１を弾性的に押し圧できるように形成している。このように形成された螺旋部材５Ｃを用いて口紅収納容器１９Ｃを構成しても、前記本発明の第１の実施例と同様な作用効果が得られる。
【００１９】
図１６ないし図１９の本発明の第５の実施例において、前記本発明の第２の実施例と主に異なる点は、螺旋部材５Ｄの複数個の舌片２１間の隙間に入り込む挿入片２３を有するキャップ嵌合部材４Ａを用いた点で、このように形成されたキャップ嵌合部材４Ａを用いて口紅収納容器１９Ｄを構成することにより、前記本発明の第１の実施例と同様な作用効果が得られるとともに、ハカマ部材１と筒部材１１との間の寸法を小さく設定することができる。
【００２０】
図２０ないし図２２の本発明の第６の実施例において、前記本発明の第２の実施例と主に異なる点は、キャップ嵌合部材４Ｂの内壁面に螺旋部材５Ｅの上部に冠状に配置された複数個の舌片２１の外壁面が当接するように取付けられた点で、このように構成した口紅収納容器１９Ｅにしても、前記本発明の第２の実施例と同様な作用効果が得られる。
【００２１】
図２３ないし図２５の本発明の第７の実施例において、前記本発明の第６の実施例と主に異なる点は、下端外周部に外方に突出するフランジ状のストッパー片２４を形成した筒部材１１Ａと、下端部に複数個の切り割２５、２５を形成するとともに、内壁面に前記ストッパー片２４が係合されるストッパー挿入溝２６が形成された螺旋部材５Ｆを用いた点で、このように形成された筒部材１１Ａと螺旋部材５Ｆを用いて口紅収納容器１９Ｆを構成しても、前記本発明の第６の実施例と同様な作用効果が得られるとともに、ストッパー片が不要となり、部品点数が少なくコストの低減を図ることができる。
【００２２】
なお、前記本発明の各実施例では皿部材１４に口紅１５を支持させるものについて説明したが、本発明はこれに限らず、リップクリーム、スチックアイシャドウ、スチックファンデーション等の棒状化粧品を支持させてもよい。
【００２３】
【本発明の効果】
以上の説明から明らかなように、本発明にあっては次に列挙する効果が得られる。
【００２４】
（１）ハカマ部材と、このハカマ部材内に嵌合固定された螺旋溝を有する螺旋部材と、この螺旋部材内に下端部が挿入され、上端部が前記ハカマ部材の上端部より上方に突出する回転可能な筒部材と、この筒部材の前記螺旋部材の螺旋溝と対応する部位に形成された軸心方向の切欠部と、前記筒部材内を上下移動可能に取付けられた口紅等を支持する下端部に該筒部材の切欠部および前記螺旋部材の螺旋溝と係合する係合ピンを有する皿部材と、前記螺旋部材の上端部より上方に突出するように一体成形され、内壁面に前記筒部材を常時所定の弾性力で押し圧するリブを有する複数個の舌片とで構成されているので、螺旋部材に形成された複数個の舌片のリブによって、筒部材を常時所定の弾性力で押し圧することができる。
したがって、ハカマ部材と筒部材とを持って回動させる繰出し操作時の繰出し調子を一定に設定でき、均一な製品を製造することができる。
【００２５】
（２）前記（１）によって、従来のようにＯリングを用いないので、部品点数が増加することなく、楽に組付けができ、コストの低減を図ることができる。
【００２６】
（３）前記（１）によって、Ｏリングを用いないので、セット忘れや、劣化等の不具合が発生するのを確実に防止することができる。
【００２７】
（４）請求項２、３、４も記記（１）〜（３）と同様な効果が得られる。
【図面の簡単な説明】
【図１】本発明の第１の実施例を示す断面図。
【図２】図１の２−２線に沿う拡大断面図。
【図３】本発明の第１の実施例の螺旋部材の斜視図。
【図４】本発明の第１の実施例の螺旋部材の断面図。
【図５】本発明の第１の実施例の要部拡大断面図。
【図６】本発明の第２の実施例を示す断面図。
【図７】図６の７−７線に沿う拡大断面図。
【図８】本発明の第２の実施例の螺旋部材の斜視図。
【図９】本発明の第２の実施例の要部拡大断面図。
【図１０】本発明の第３の実施例を示す断面図。
【図１１】図１０の１１−１１線に沿う拡大断面図。
【図１２】本発明の第３の実施例の螺旋部材の斜視図。
【図１３】本発明の第４の実施例を示す断面図。
【図１４】本発明の第４の実施例の螺旋部材の斜視図。
【図１５】本発明の第４の実施例の要部拡大断面図。
【図１６】本発明の第５の実施例を示す断面図。
【図１７】図１６の１７−１７線に沿う拡大断面図。
【図１８】本発明の第５の実施例の螺旋部材とキャップ嵌合部の取付け状態を示す斜視図。
【図１９】本発明の第５の実施例の要部拡大断面図。
【図２０】本発明の第６の実施例を示す断面図。
【図２１】本発明の第６の実施例の要部拡大断面図。
【図２２】本発明の第６の実施例の螺旋部材の説明図。
【図２３】本発明の第７の実施例を示す断面図。
【図２４】本発明の第７の実施例の筒部材の一部破断正面図。
【図２５】本発明の第７の実施例の螺旋部材の一部破断斜視図。
【符号の説明】
１：ハカマ部材、
２：ハカマ部材本体、
３、３Ａ：キャップ嵌合部、
４、４Ａ：キャップ嵌合部、
５、５Ａ〜５Ｆ：螺旋部材、
６：螺旋部材本体、
７：切欠部、
８：舌片、
９：リブ、
１０：螺旋溝、
１１、１１Ａ：筒部材、
１２：切欠部、
１３：ストッパー片、
１４：皿部材、
１５：口紅、
１６：脚部材、
１７：係合ピン、
１８：キャップ、
１９、１９Ａ〜１９Ｆ：口紅収納容器、
２０：凹部、
２１：舌片、
２２：リブ、
２３：挿入片、
２４：ストッパー片、
２５：切り割、
２６：ストッパー挿入溝。
【図１】
0003688746.tif 000002
【図２】
0003688746.tif 000003
【図３】
0003688746.tif 000004
【図４】
0003688746.tif 000005
【図５】
0003688746.tif 000006
【図６】
0003688746.tif 000007
【図７】
0003688746.tif 000008
【図８】
0003688746.tif 000009
【図９】
0003688746.tif 000010
【図１０】
0003688746.tif 000011
【図１１】
0003688746.tif 000012
【図１２】
0003688746.tif 000013
【図１３】
0003688746.tif 000014
【図１４】
0003688746.tif 000015
【図１５】
0003688746.tif 000016
【図１６】
0003688746.tif 000017
【図１７】
0003688746.tif 000018
【図１８】
0003688746.tif 000019
【図１９】
0003688746.tif 000020
【図２０】
0003688746.tif 000021
【図２１】
0003688746.tif 000022
【図２２】
0003688746.tif 000023
【図２３】
0003688746.tif 000024
【図２４】
0003688746.tif 000025
【図２５】
0003688746.tif 000026